(57)【要約】【課題】基板ケースの放熱効率の低下を可及的に防止しつつ、制御基板に接続される接続ケーブルを有効に保護し得る、新規な構造のパチンコ機を提供すること。【解決手段】遊技板１４の下方に配設される基板ケース７８、９６の上面９０，１０９に通気孔９２、１１０を設ける一方、該基板ケース７８，９６の背面８３，９９の上側部分に開口部８４，１００を設け、該開口部８４，１００を通じて制御基板７６、９４に接続された接続ケーブル１６２を該基板ケース７８，９６の外部に露出せしめると共に、該遊技板１４の裏面に対して開閉可能に取り付けたカバー部材１６６の下端部１９４を該背面８３，９６の上側部分に重ね合わせることによって、該接続ケーブル１６２における該開口部８４，１００からの延び出し部分１６２を該下端部１９４で覆った。【選択図】図９
2007319231.tif 000002
【特許請求の範囲】
【請求項１】
外枠と、該外枠の幅方向一方の側を中心に回動可能に取り付けられた基枠とを備え、該基枠の裏面側には、遊技動作を制御する制御基板が、基板ケースに収容された状態で、遊技板が配設される中央領域と、該中央領域よりも下方の下方領域にそれぞれ配設されているパチンコ機において、
前記下方領域に配設された前記制御基板に接続される接続ケーブルが、前記基板ケースの背面における上側部分に形成された開口部から外部に露出せしめられていると共に、該基板ケースの上面には通気孔が形成されている一方、前記基枠の裏面側に開閉可能に取り付けたカバー部材の下端部を、該下方領域に配設された該基板ケースの背面における上側部分に重ね合わせることによって、該接続ケーブルにおける該開口部からの延出部分を該カバー部材の下端部で覆ったことを特徴とするパチンコ機。
【発明の詳細な説明】
【技術分野】
【０００１】
本発明は、遊技板の裏側に複数の制御基板が配設されたパチンコ機に関するものである。
【背景技術】
【０００２】
従来から、パチンコ機の背面には、遊技動作の全体を制御する主制御基板、遊技演出に関する制御を行う演出制御基板、音による演出や光による演出を制御する音・光制御基板や、それらの制御基板やその他の電力を必要とする部材に電力を供給する電源基板など、多くの制御基板が設けられている。
【０００３】
特に近年では、機種毎に異なる演出制御基板や音・光制御基板を遊技板の裏面に取り付けて遊技板と一体的に構成する一方、複数の機種に共通して用いることの出来る主制御基板や電源基板などは、基枠の裏面側における遊技板の下方に取り付けることによって、機種を交換する場合には、遊技板を交換するのみで対応可能にされたものが多い。
【０００４】
ところで、これらの制御基板は、運搬の際に他の部材と接触して損傷したり、外部から不正に操作されたりすることの無いように、それぞれ基板ケースに収容された状態でパチンコ機の背面に配設されている。そして、制御基板に接続される給電ケーブルや信号線などの接続ケーブルは、基板ケースの外部から基板ケースに形成された開口部を通じてケース内部の制御基板と接続されている。
【０００５】
このように、パチンコ機の制御基板は、基板ケースに収容されて保護されているものの、制御基板に接続される接続ケーブルは、基板ケースの外部に露出せしめられていた。それ故、運搬などの際にパチンコ機が倒れたり、他の部材と接触することによって、接続ケーブルを損傷するおそれがあった。
【０００６】
そこで、例えば特許文献１に記載されているように、遊技板の裏面の略全体を基板ケースごと覆蓋するカバー部材を取り付けることによって、基板ケースの外部に露出せしめられた接続ケーブルを保護するようにされたパチンコ機がある。
【０００７】
ところが、特許文献１に記載の如きパチンコ機では、遊技板の裏面のみを覆蓋せしめていることから、遊技板の下方に配設された制御基板に接続される接続ケーブルは、保護されなかった。
【０００８】
また、基板ケースの上面には、制御基板の発熱を抑えるために、放熱用の通気孔が形成されているものがある。それ故、遊技板の下方に配設された基板ケースの上方にカバー部材が配設されると、カバー部材の底面が基板ケースの通気孔の直ぐ上方に位置せしめられて通気孔を覆ってしまい、基板ケースの放熱効率を低下せしめてしまうおそれがあった。特に、電源基板も遊技板の下方に配設されていることが多いのであるが、電源基板は高温になり易い制御基板の一つであって、放熱効率を低下せしめることは大きな問題となる。
【０００９】
【特許文献１】実開平６−７５５７３号公報
【発明の開示】
【発明が解決しようとする課題】
【００１０】
ここにおいて、本発明は上述の如き事情を背景として為されたものであって、その解決課題とするところは、基板ケースの放熱効率の低下を可及的に防止しつつ、制御基板に接続される接続ケーブルを有効に保護し得る、新規な構造のパチンコ機を提供することにある。
【課題を解決するための手段】
【００１１】
以下、前述の如き課題を解決するために為された本発明の態様を記載する。なお、以下に記載の各態様において採用される構成要素は、可能な限り任意の組み合わせで採用可能である。
【００１２】
すなわち、本発明は、遊技動作を制御する制御基板が、基板ケースに収容された状態で、遊技板が配設される中央領域と、該中央領域よりも下方の下方領域にそれぞれ配設されているパチンコ機において、下方領域に配設される基板ケースの上面に通気孔を設ける一方、基板ケースの背面における上側部分に開口部を設け、かかる開口部を通じて制御基板に接続された接続ケーブルを外部に露出せしめると共に、基枠の裏面側に対して開閉可能に取り付けたカバー部材の下端部を下方領域に配設された基板ケースの背面における上側部分に重ね合わせることによって、カバー部材の下端部によって接続ケーブルの開口部からの延出部分を覆ったことを、特徴とする。
【００１３】
このようにすれば、遊技板の下方に配設された制御基板に接続される接続ケーブルの開口部からの延び出し部分をも、有効に保護することが出来る。そして、特に本発明においては、遊技板の下方に配設される基板ケースの開口部を、ケース背面の上側部分に設けたことから、カバー部材の下方への延び出し寸法を小さく抑えることが出来て、カバー部材の剛性を有利に確保することが出来ると共に、取扱いも容易となるのである。なお、本発明における中央領域とは、基枠の裏面側における遊技板の上端から下端までの位置をいい、下方領域とは、基枠の裏面側における中央領域よりも下方の領域をいう。また、基板ケースの上面とは、基板ケースの基枠の裏面側への取り付け状態において、遊技板の広がり方向に対して略直角に広がると共に、上方に面する面をいうものであって、必ずしも基板ケース全体の上端に位置する面に限定されない。また、基板ケースの背面とは、基板ケースの基枠の裏面側への取付状態において、遊技板の広がり方向に対して略平行に広がると共に、裏側に面する面をいうものである。また、本発明においては、少なくとも接続ケーブルの開口部からの延び出し部分がカバー部材で覆われていれば良く、接続ケーブルの一部がカバー部材から露出せしめられた態様も含むものであるが、接続ケーブルの全体がカバー部材に覆われる態様が、より好適に採用される。
【００１４】
さらに、本発明によれば、カバー部材の下端部が遊技板の下方に配設された基板ケースの背面に重ね合わされることから、カバー部材の底面が基板ケースの上面の上方に位置せしめられることがない。これにより、基板ケースの上面に形成された通気孔を、基板ケースが塞ぐことも回避されており、遊技板の下方に配設された基板ケースの放熱効率を低下せしめるおそれも軽減することが出来る。
【００１５】
なお、本発明におけるカバー部材の開閉とは、カバー部材の全体を基枠の裏面側に対して着脱することによって開閉する態様なども含むものである。従って、カバー部材は、ヒンジ機構などによって基枠の裏面側から分離することなく開閉せしめる等しても良いし、或いは、ネジやナイラッチなどを用いてカバー部材の全体を取り外し可能にする等しても良い。
【発明を実施するための最良の形態】
【００１６】
以下、本発明を更に具体的に明らかにするために、本発明の実施形態について、図面を参照しつつ、詳細に説明する。なお、以下の説明において、上下方向および左右方向とは、原則として、遊技者から見た上下方向および左右方向をいうものとし、表面、裏面および前面、後面についても、原則として、遊技者側を表面および前面というものとする。
【００１７】
先ず、図１に、本発明の一実施形態としてのパチンコ機１０を示す。パチンコ機１０は、縦長な方形状に枠組み形成された外枠１２に対して、遊技板１４を保持すると共に、パチンコ機１０の主要な構成の略全てが集約して設けられる基枠１６が、外枠１２の幅方向一方（本実施形態においては、左側）の端部を中心に回動可能に取り付けられている。そして、基枠１６の前面には、前扉１８が、基枠１６の幅方向一方（本実施形態においては、左側）の端部を中心に回動可能に設けられている。
【００１８】
前扉１８は、基枠１６と略等しい幅寸法をもった略枠体形状とされており、透視板としてのガラス板２０が取り付けられた窓としてのガラス窓２２が形成されている。前扉１８は、基枠１６の左側端部に設けられたヒンジ２４ａ，２４ｂを介して基枠１６に対して左側端部を中心に回動可能に取り付けられている。そして、前扉１８を閉じた状態で、ガラス窓２２を通して、基枠１６に取り付けられた遊技板１４の遊技領域２６が外部から視認可能とされている。なお、遊技領域２６には、後述する液晶表示器１５０の表示画面や、入賞装置、多数の遊技釘等が設けられているが、それらの図示は省略する。
【００１９】
また、前扉１８の前面におけるガラス窓２２の下方には、上皿２８が設けられている。上皿２８は、前扉１８の表裏方向に貫通する連通孔３０によって、前扉１８の裏側と連通せしめられている。連通孔３０は、略矩形の開口形状をもってガラス窓２２の左側下方に形成されており、上皿２８の左側端部に開口せしめられている。更に、前扉１８の回動中心軸と反対側の端部（本実施形態においては、右側）には、切欠３２が形成されており、かかる切欠３２から、基枠１６に装着された枠鍵３４が外部に露出せしめられている。かかる枠鍵３４は、前扉１８を基枠１６に対して密着した状態に保持するのみならず、基枠１６を外枠１２に対して密着した状態に保持するようになっている。
【００２０】
一方、基枠１６は、遊技板１４の遊技領域２６に略対応する形状を有する貫通窓が貫設された略枠体形状とされており、左側の上下端部に設けられたヒンジ３６ａ，３６ｂを介して外枠１２に対して開閉可能に取り付けられている。
【００２１】
また、基枠１６の表面における下側中央部分には、下皿３８が前方に突出して設けられている。なお、詳細な図示は省略するが、下皿３８は基枠１６の裏側において上皿２８と連通せしめられており、上皿２８内から溢れた遊技球が下皿３８内に排出されるようになっている。
【００２２】
さらに、下皿３８の右側には、発射ハンドル４０が回動可能に設けられており、発射ハンドル４０の裏側には、発射モータが配設されている。発射モータの回転軸には、図示しないクランク機構を介して打球槌が連結されており、発射ハンドル４０が周方向一方の側に回動操作せしめられることによって発射モータに電源が与えられ、打球槌が上皿２８内に貯留された遊技球を弾き出すようになっている。
【００２３】
そして、図２に示すように、基枠１６の背面には、遊技板１４を載置する支持面４２が形成されており、遊技板１４が基枠１６の背面から重ねあわされて、下端部が支持面４２で支持される。それと共に、基枠１６の背面において、支持面４２で支持された遊技板１４の周囲には、スライドレバー４４が複数設けられている。本実施形態においては、支持面４２で支持された遊技板１４の四隅にあたる位置にそれぞれ、四つのスライドレバー４４が設けられている。そして、これらスライドレバー４４が遊技板１４側にスライドされることによって、遊技板１４が基枠１６とスライドレバー４４の間で狭持されて、遊技板１４が基枠１６に取り付けられるようになっている。なお、図４においては、理解を容易とするために、遊技板１４の裏側に取り付けられる液晶表示器１５０や演出制御基板１５２などを省略して示す。
【００２４】
また、基枠１６における支持面４２の左側（図２中、右側）には、略矩形状をもって基枠１６を表裏方向に貫通する貫通孔４６が形成されている。そして、前扉１８が閉じられることによって、連通孔３０と貫通孔４６が接続されて、上皿２８と基枠１６の裏側が連通せしめられるようになっている。
【００２５】
このような構造とされた基枠１６の裏面には、メインセット４８が取り付けられる。図３に、メインセット４８の背面図を示す。メインセット４８は、中央窓５０を有する略枠体形状とされた枠部材５２に後述する賞球通路５６やタンクレール５８が一体的に設けられた構造とされている。
【００２６】
より詳細には、枠部材５２は、基枠１６と略等しい幅寸法を有すると共に、基枠１６の高さ寸法よりもやや小さな高さ寸法をもって形成されている。そして、枠部材５２の背面における上端部には、多量の賞球としての遊技球を貯留する賞球タンク５４が設けられている。但し、賞球タンク５４は、必ずしもメインセット４８に設けられる必要は無く、例えば、賞球タンク５４を基枠１６に設けて、メインセット４８の取付状態において後述するタンクレール５８と接続する等しても良い。
【００２７】
そして、賞球タンク５４の下方には、賞球タンク５４に貯留された遊技球を整列して賞球通路５６に案内するタンクレール５８が設けられており、賞球タンク５４と連通せしめられている。ここにおいて、特に本実施形態におけるタンクレール５８は、枠部材５２の幅方向一方の側（本実施形態においては、図３中、右側）に向けて下る平坦な底面６０を有している。図４に示すように、底面６０は、幅方向中央部に形成された中央壁部６２で仕切られることによって、二列の案内路６４ａ，６４ｂが形成されている。
【００２８】
これら案内路６４ａ，６４ｂは略同様の構造とされており、以下の説明においては、案内路６４ａを例に説明する。案内路６４ａには、底面６０の厚さ方向に貫通すると共に、所定寸法をもって案内路６４ａの延び出し方向と同じ方向に延びる排出孔６６が複数形成されており、かかる排出孔６６によって、タンクレール５８内に侵入した粉塵が排出されるようになっている。ここにおいて、排出孔６６の幅寸法は、案内路６４ａの幅寸法の略半分よりもやや小さくされている。そして、案内路６４ａと同じ方向に延びる２つの直線状で、複数の排出孔６６が適当な間隔をもって配設されていると共に、それらの直線に略直交する方向で、一方の直線上の排出孔６６が他方の直線上の排出孔６６と排出孔６６の間に配設されている。要するに、排出孔６６は、案内路６４ａの延び出し方向で千鳥状に配設されている。更に、特に本実施形態においては、一方の直線上の排出孔６６に隣接する他方の直線上の排出孔６６との間に所定の間隔が設けられており、案内路６４ａの幅方向の全体に亘って排出孔６６が形成されていない補強部６８が形成されている。
【００２９】
このように、本実施形態においては、底面６０が段差面を有することなく傾斜せしめられた平坦面とされていることによって、タンクレール５８の上下寸法が小さく抑えられている。そして、排出孔６６が千鳥状に配設されていることによって、タンクレール５８の剛性を保ちつつ、タンクレール５８に入った粉塵を有効に排出することが可能とされている。更に、特に本実施形態においては、案内路６４ａ，６４ｂの幅方向で隣接する排出孔６６、６６の間に補強部６８が形成されていることによって、底面６０の強度が有効に確保されている。
【００３０】
そして、かかるタンクレール５８の端部には、賞球通路５６が接続されている。賞球通路５６は、タンクレール５８との接続部が外方へ湾曲せしめられた後に、中央窓５０の側方（本実施形態においては、図３中、右側）において鉛直下方に延びる案内路とされている。かかる賞球通路５６は、枠部材５２の内部を鉛直方向成分をもって延びる内部通路７０に連通せしめられて、枠部材５２の表面における中央窓５０の左下（図３中、右下）に形成された開口部７２と連通せしめられることによって、枠部材５２の前方に開口せしめられている。なお、開口部７２は、略矩形状をもって開口せしめられており、基枠１６の裏面に開口せしめられた貫通孔４６と略等しい大きさとされている。
【００３１】
なお、賞球通路５６において内部通路７０に連通する前の位置には、賞球払出装置７４が配設されている。賞球払出装置７４内には、パルスモータ等からなる賞球モータを駆動源とする賞球払出機構が収容されており、賞球モータの回転軸が単位量回転する毎に賞球払出装置７４から内部通路７０へ１個ずつ賞球としての遊技球が払い出されるようになっている。
【００３２】
さらに、枠部材５２における中央窓５０の下側には、遊技動作を制御する主制御基板７６を収容する基板ケースとしての主制御基板ケース７８が取り付けられている。主制御基板ケース７８は、枠部材５２に取り付けられた図示しない下蓋に対して背面から上蓋８０が重ね合わされて構成されており、下蓋と上蓋８０の間に形成された収容空間内に主制御基板７６が収容されるようになっている。ここにおいて、下蓋および上蓋８０は何れも透明の部材で形成されており、内部に収容された主制御基板７６が外部から視認出来るようにされている。また、主制御基板ケース７８には、従来公知の封止手段８２、８２が設けられており、容易に開封することが出来ないようにされていると共に、開封回数が制限（本実施形態においては、４回）されている。
【００３３】
さらに、主制御基板ケース７８の枠部材５２への取付状態において、上蓋８０の背面８３の広がり方向は、遊技板１４の広がり方向と略平行とされている。そして、背面８３における上端部には、上蓋８０の厚さ方向に貫通する複数の開口部８４が形成されており、開口部８４を通じて主制御基板ケース７８の内部空間と外部空間が連通せしめられている。そして、それぞれの開口部８４の形成位置に、主制御基板７６に設けられて電源ケーブルや信号線などが接続される複数のコネクタ８６がそれぞれ位置せしめられるようになっている。
【００３４】
また、上蓋８０における開口部８４が形成された部位の下方の部位は、後方に突出せしめられた突出部８８とされており、収容空間が大きく確保されている。そして、かかる突出部８８内に、主制御基板７６に設けられた図示しない多数の部品が位置せしめられるようになっている。なお、本実施形態における突出部８８の上面９０は、後方に行くに連れてやや下方に傾斜せしめられており、上面９０の広がり方向が遊技板１４に対して略直角とされている。そして、上面９０には、複数の通気孔９２が貫設されている。本実施形態における通気孔９２は、スリット状の貫通孔とされており、上面９０の後端部から突出部８８の背面の上端部にまで延び出す形状とされている。これにより、主制御基板ケース７８に収容された主制御基板７６の熱が通気孔９２を通じて排出されるようになっている。このように、本実施形態においては、突出部８８の上面９０を含んで、主制御基板ケース７８の上面が構成されている。
【００３５】
また、中央窓５０の下側における主制御基板ケース７８の側方（本実施形態においては、図３中、左側）には、外部から電力を得ると共に、各制御基板や駆動装置へ電力を分配して供給する電源基板９４を収容する基板ケースとしての電源基板ケース９６が取り付けられている。電源基板ケース９６は、前述の主制御基板ケース７８と略同様の構造とされており、枠部材５２に取り付けられた図示しない下蓋に対して背面から上蓋９８が重ね合わされて構成されている。そして、下蓋と上蓋９８の間に形成された収容空間内に電源基板９４が収容されるようになっている。なお、電源基板ケース９６も透明の部材で形成されており、内部に収容された電源基板９４が外部から視認出来るようにされている。
【００３６】
さらに、電源基板ケース９６の枠部材５２への取付状態において、上蓋９８の背面９９の広がり方向は、遊技板１４の広がり方向と略平行とされている。そして、背面９９における上端部には、上蓋９８の厚さ方向に貫通する開口部１００が形成されており、開口部１００を通じて電源基板ケース９６の内部空間と外部空間が連通せしめられている。なお、本実施形態における電源基板ケース９６の開口部１００は、幅方向に延びる長孔形状とされており、かかる開口部１００の形成位置に、電源基板９４に設けられて電源ケーブルや信号線などが接続される複数のコネクタ１０２が位置せしめられるようになっている。また、開口部１００の右側（図３中、左側）には、開口部８４と略同様の構造とされた貫通孔１０４が貫設されており、かかる貫通孔１０４の形成位置に、電源基板９４に設けられたリセットスイッチ１０６が位置せしめられるようになっている。
【００３７】
また、上蓋９８における開口部１００が形成された部位の下方の部位は、後方に突出せしめられた突出部１０８とされており、収容空間が大きく確保されている。そして、かかる突出部１０８内に、電源基板９４に設けられた図示しない多数の部品が位置せしめられるようになっている。そして、本実施形態における突出部１０８の上面１０９、下面、および左右両側面の広がり方向は、何れも、遊技板１４の広がり方向に対して略直角とされている。更に、突出部１０８の上面１０９には、上面１０９の後端部から背面９９に至るスリット状の通気孔１１０が複数貫設されている。なお、電源基板ケース９６には、突出部１０８の上面１０９のみならず、突出部１０８の下面、左右両側面にも、上面１０９と同様の通気孔１１０が形成されていると共に、突出部１０８の背面にも、長孔形状のスリット１１１が複数形成されている。これにより、電源基板ケース９６に収容された電源基板９４の熱が通気孔１１０を通じて排出されるようになっている。また、電源基板ケース９６は、主制御基板ケース７８に比してより多くの通気孔１１０、１１１が形成されており、より高い放熱効果が得られるようにされている。
【００３８】
このような構造とされたメインセット４８は、図５に示すように、基枠１６の裏面に取り付けられる。特に本実施形態においては、基枠１６の裏面における幅方向一方の側（本実施形態においては、図５中、右側）の上下端部に、所定寸法に亘って後方に突出する軸受１１２，１１４が設けられている。これらの軸受１１２，１１４には、図６にモデル的に示すように、軸受１１２，１１４の厚さ方向に貫設して基枠１６の表裏方向に延びる長孔形状の軸孔１１６，１１８が形成されている。一方、メインセット４８において軸受１１２，１１４と同じ側（本実施形態においては、図５中、右側）の上下端部には、下方に突出する軸１２０，１２２が設けられている。そして、これらの軸１２０，１２２が、軸孔１１６，１１８に対して上方から挿通されて軸受１１２，１１４と軸１２０，１２２が連結されることによってヒンジ機構が構成されており、メインセット４８が基枠１６に対して着脱可能且つ開閉可能に蝶着されている。
【００３９】
さらに、基枠１６の背面における四隅に近接した位置には、後述するナイラッチ１３２を取り付けるための取付穴１２４ａ，１２４ｂ，１２４ｃ，１２４ｄが設けられている（図２参照）。なお、これらの取付穴１２４は、基枠１６に取り付けられるメインセット４８の四隅に近接した位置に形成されることが望ましいが、取付穴１２４の形成位置はメインセット４８の固着強度や他部材との配設スペースなどを考慮して設定されるものである。特に本実施形態においては、取付穴１２４ａは、基枠１６の背面視において上端部における右端部よりもやや内方に形成されていると共に、取付穴１２４ｄは、基枠１６の背面視において下端部における左端部よりもやや内方に形成されている。
【００４０】
そして、基枠１６に対して軸受１１２，１１４および軸１２０，１２２によって開閉可能に蝶着せしめられたメインセット４８が閉じられることによって基枠１６の背面に重ね合わされるようになっており、枠部材５２において取付穴１２４ａ，１２４ｂ，１２４ｃ，１２４ｄと重なり合う部位には、それぞれ、枠部材５２を貫通する挿通穴１２６ａ，１２６ｂ，１２６ｃ，１２６ｄが貫設されている（図３参照）。なお、特に本実施形態においては、取付穴１２４ａ，１２４ｃ，１２４ｄは、図７に取付穴１２４ａを例にモデル的に示すように、後方に突出する円筒状部１２８の後方端面に貫設された貫通孔によって形成されている一方、挿通穴１２６ａ，１２６ｃ，１２６ｄの前面には、前方に突出する円筒形状の外嵌部１３０が形成されている。そして、外嵌部１３０の内径寸法が、円筒状部１２８の外径寸法より僅かに大きくされている。これにより、メインセット４８が閉じられた状態で、外嵌部１３０が円筒状部１２８に外嵌せしめられるようになっている。
【００４１】
そして、メインセット４８が閉じられた状態で、挿通穴１２６ａ，１２６ｂ，１２６ｃ，１２６ｄの背面からナイラッチ１３２が挿通されて取付穴１２４ａ，１２４ｂ，１２４ｃ，１２４ｄに取り付けられることによって、メインセット４８が基枠１６に対して閉状態で固定される。
【００４２】
本実施形態におけるナイラッチ１３２は、図８に概略を示すように、グロメット１３４とプランジャ１３６によって構成されている。グロメット１３４は、円板形状とされた円板部１３８と、周方向で４つに分割された先端部１４０が円筒部１４２によって接続された一体成形部品とされており、部材の弾性によって先端部１４０が開閉可能とされている。そして、グロメット１３４の中心軸上には、円板部１３８と円筒部１４２を貫通する挿通孔１４４が形成されている。一方、プランジャ１３６には、軸方向中間部分が縮径せしめられた裁頭円錐形状を有する操作部１４６と、操作部１４６から略円柱形状をもって軸方向に延びる作用部１４８が形成されている。なお、作用部１４８の先端部および基端部は僅かに径寸法が大きくされており、作用部１４８の先端部および基端部の径寸法が、挿通孔１４４の内径寸法と略等しくされている。
【００４３】
そして、グロメット１３４の挿通孔１４４に対して、軸方向後方からプランジャ１３６の作用部１４８が挿通されるようになっており、作用部１４８が先端方向に押し込まれることによって、グロメット１３４の先端部１４０を内部から押し開くようにされている。
【００４４】
このような構造とされたナイラッチ１３２が、図７に挿通穴１２４ａを例に示すように、枠部材５２の背面から挿通穴１２４ａに挿通されて、グロメット１３４の先端部１４０が取付穴１２４ａに挿通される。そして、プランジャ１３６が先端方向に押し込まれることによって、先端部１４０が開かれて開状態に保持されることによって、先端部１４０と円板部１３８の間で枠部材５２と円筒状部１２８の後端面が挟持される。これにより、基枠１６に対して枠部材５２が押し付けられた状態で固定されることとなる。
【００４５】
ここにおいて、図５に示すように、メインセット４８に中央窓５０が設けられていることから、メインセット４８が閉じられた際に、遊技板１４の裏面に配設される例えば液晶表示器１５０や演出制御基板１５２、音・光制御基板１５４などの部材は、メインセット４８の中央窓５０内に位置せしめられて、メインセット４８と干渉することのないようにされている。更に、特に本実施形態においては、ヒンジ機構を構成する軸孔１１６，１１８が基枠１６の表裏方向に延びる長孔形状とされている。これにより、メインセット４８を開く際には、先ずメインセット４８の全体を軸孔１１６，１１８に沿って後方に移動せしめて、軸１２０，１２２が軸孔１１６，１１８の後端部に位置せしめられた状態で、即ち、メインセット４８を基枠１６から所定距離を隔てた状態で回動せしめることが出来る。これにより、メインセット４８を開く際に、遊技板１４の裏面に配設された液晶表示器１５０等と干渉することのないようにされている。また、メインセット４８を閉じる場合も同様に、軸１２０，１２２を軸孔１１６，１１８の後端部に位置せしめた状態で予めメインセット４８を閉じる方向に回動せしめた後に、メインセット４８の全体を基枠１６に対して接近せしめられることから、メインセット４８が液晶表示器１５０等に対して斜め方向から重ね合わされることがなく、互いに干渉するおそれが軽減されているのである。
【００４６】
さらに、特に本実施形態においては、基枠１６における貫通孔４６の右側下方に、前記取付穴１２４ａ等と同様の構造とされた取付穴１５６が形成されている（図２参照）。それと共に、枠部材５２において取付穴１５６と重なる位置には、前記挿通穴１２６ａと同様の構造とされた挿通穴１５８が枠部材５２の厚さ方向に貫設されている。そして、メインセット４８が閉じられた状態で、挿通穴１５８が取付穴１５６に重ね合わされて、取付穴１５６の背面から前述のナイラッチ１３２と同様の構造とされたナイラッチ１６０が取り付けられることによって、メインセット４８における開口部７２が形成された部位が基枠１６に対して押し付けられるように固定される。これにより、枠部材５２において軸受１１２，１１４やナイラッチ１３２から離れていることによって撓み易い開口部７２が形成された付近の部位を基枠１６に押し付けて撓み難くすることが出来て、枠部材５２と基枠１６の間をこじ開けてピアノ線などを挿入する不正行為を有効に防止することが出来る。
【００４７】
このようにして、メインセット４８が基枠１６の背面に取り付けられることによって、主制御基板７６および電源基板９４が、遊技板１４の下方に配設される。このように、本実施形態においては、基枠１６の中央領域としての遊技板１４の裏面に液晶表示器１５０、演出制御基板１５２、音・光制御基板１５４が設けられると共に、基枠１６の下側領域としての遊技板１４の下方に、主制御基板７６および電源基板９４が配設される。そして、主制御基板７６、電源基板９４、および遊技板１４の背面に取り付けられた液晶表示器１５０、演出制御基板１５２、音・光制御基板１５４のそれぞれが、接続ケーブル１６２によって互いに適宜に接続されるようになっている。接続ケーブル１６２には、両端にコネクタ１６４，１６４が設けられており、各制御基板７６、９４、１５０，１５２，１５４に設けられたコネクタ８６、１０２等と接続されるようになっている。これにより、接続ケーブル１６２は、例えば主制御基板７６を例にすると、一方のコネクタ１６４が主制御基板ケース７８に形成された開口部８４を通じて、ケース内部に収容された主制御基板７６のコネクタ８４と接続されており、接続ケーブル１６２がケース外部に露出せしめられて、他方のコネクタ１６４が例えば演出制御基板１５２に接続されるようになっている。なお、詳細な図示は省略するが、遊技板１４の裏面に配設される演出制御基板１５２や音・光制御基板１５４も、主制御基板７６等と同様に、それぞれ基板ケース１５３，１５５に収容せしめられており、基板ケース１５３，１５５に形成された開口部からコネクタが露出せしめられている。但し、これらの制御基板７６、９４、１５０，１５２，１５４はあくまでも例示であって、例えば、遊技板１４の裏面に電源の中継基板等その他の制御基板を適宜に設けたり、演出制御基板１５２と音・光制御基板１５４を一体的に構成するなどしてもよい。また、図中の接続ケーブル１６２の接続態様についても、あくまでも例示であって、簡略化して図示したものである。
【００４８】
そして、図９に示すように、メインセット４８の背面には、カバー部材１６６が取り付けられるようになっている。図１０、図１１に、カバー部材１６６を示す。カバー部材１６６は、メインセット４８の中央窓５０の略全体を覆蓋する寸法を有する背面１６８から突出する上面１７０、左側面１７２（図１１中、右側）、右側面１７４（図１１中、左側）、および底面１７６が一体的に形成されている。
【００４９】
ここにおいて、カバー部材１６６の上面１７０は、タンクレール５８の底面６０と略同じ角度で傾斜せしめられている。また、右側面１７４の突出端縁部には、外側に向けて突出する取付板部１７７が形成されており、かかる取付板部１７７の適当な部位（本実施形態においては、取付板部１７７の上下端部からやや内方に位置する２箇所）に、取付板部１７７の厚さ方向に貫通する挿通穴１７８が貫設されている。一方、左側面１７２の突出端縁部においても、外側に向けて突出する取付板部１８０が形成されており、かかる取付板部１８０の適当な部位（本実施形態においては、取付板部１８０の中央部分の１箇所）に、取付板部１８０の厚さ方向に貫通する挿通穴１８２が貫設されている。なお、取付板部１７７、１８０のそれぞれには、右側面１７４、左側面１７２から延び出す複数の補強リブ１８５が適当な位置に形成されており、強度が確保されている。
【００５０】
また、底面１７６の背面１６８からの突出寸法は、上面１７０に比してやや小さくされており、底面１７６の突出端縁部１８３が、上面１７０の突出端縁部１８４よりも背面１６８寄りに位置せしめられている。更に、特に本実施形態においては、背面１６８の下端部の右端部（図１０中、左端部）に、切欠１８６が形成されている。これにより、切欠１８６の下端部には底面１７６が形成されておらず、底面１７６は、背面１６８の左端部から切欠１８６に至る幅寸法とされている。
【００５１】
また、背面１６８には、厚さ方向に貫通する複数の通気孔１８８が貫設されている。本実施形態においては、通気孔１８８は背面１６８の左右幅方向に延びる長孔形状とされており、背面１６８の上下方向に平行に延びる３つの直線上に、所定の間隔をもって複数形成されている。但し、通気孔１８８の具体的形状や個数、形成位置等は、適宜に設定可能であって、例えば、背面１６８に加えて、或いは代えて、上面１７０に形成するなどしてもよい。
【００５２】
このような構造とされたカバー部材１６６が、メインセット４８に取り付けられる。具体的には、枠部材５２における中央窓５０の周囲には、カバー部材１６６の挿通穴１７８に対応する位置に、取付穴１９０が形成されている（図５参照）。そして、カバー部材１６６の挿通穴１７８と取付穴１９０が重ね合わされて、前述のナイラッチ１３２と同様の構造とされたナイラッチ１９２がそれら挿通穴１７８および取付穴１９０に差し通されて固定されることによって、カバー部材１６６が、枠部材５２に取り付けられるようになっている。
【００５３】
かかるカバー部材１６６の取り付け状態において、中央窓５０の略全体が、カバー部材１６６の背面１６８によって覆われており、これによって、遊技板１４の背面に配設された液晶表示器１５０、演出制御基板１５２、音・光制御基板１５４の全体が覆蓋せしめられる。なお、詳細な図示は省略するが、カバー部材１６６は、透明の部材で形成されており、カバー部材１６６が重ね合わされる液晶表示器１５０、演出制御基板１５２、音・光制御基板１５４などは、カバー部材１６６の取り付け状態においても外部から視認可能とされている。また、背面１６８は、その下端部１９４が中央窓５０の下方に突出せしめられる寸法をもって形成されており、下端部１９４が、主制御基板ケース７８の開口部８４、電源基板ケース９６の開口部１００に重ね合わされるようになっている。また、背面１６８の上端部は、タンクレール５８に僅かに重ね合わされている。
【００５４】
なお、図面からは明らかではないが、本実施形態においては、カバー部材１６６の取付状態において、上面９０の突出端縁部１８４とタンクレール５８との間、および、底面１７６の突出端縁部１８３と主制御基板ケース７８および電源基板ケース９６との間には、僅かな空隙が形成されている。これにより、カバー部材１６６の放熱効果が高められていると共に、例えばパチンコ器１０が背面に倒れた際の打ち当たりの衝撃が、カバー部材１６６を通じてメインセット４８に伝達され難くされている。また、カバー部材１６６の取り付け状態において、電源基板９４のリセットスイッチ１０６の位置に切欠１８６が位置せしめられるようになっており、これにより、カバー部材１６６を取り外すことなく、リセットスイッチ１０６が操作出来るようにされている。また、カバー部材１６６は、ナイラッチ１９２を枠部材５２から引き抜くことによって、容易に取り外すことが出来る。
【００５５】
このような構造とされたパチンコ機１０においては、遊技板１４の裏面に取り付けられた液晶表示器１５０、演出制御基板１５２、音・光制御基板１５４の背面の全体が、カバー部材１６６で覆蓋せしめられる。更に、特に本実施形態においては、カバー部材１６６の下端部１９４が、遊技板１４の下方に配設された主制御基板ケース７８および電源基板ケース９６の上部に重ね合わされることによって、主制御基板ケース７８の開口部８４および電源基板ケース９６の開口部１００から露出せしめられた接続ケーブル１６２のコネクタ１６４およびケーブルの開口部８４，１００からの延び出し部分についても、カバー部材１６６で覆われるようになっている。これにより、遊技板１４の裏面に配設された制御基板１５０，１５２，１５４間に接続される接続ケーブル１６２のみならず、遊技板１４の下方に配設された主制御基板ケース７８および電源基板ケース９６の開口部８４，１００から延び出された接続ケーブル１６２のコネクタ１６４およびケーブルについても、カバー部材１６６を重ね合わせて、有効に保護することが出来る。そして、本実施形態におけるカバー部材１６６は、下端部１９４の下方への突出寸法が、基板ケース７８，９６の全体を覆うことなく、基板ケース７８，９６の上部に至る程度に抑えられていることから、カバー部材１６６の寸法を必要以上に大きくすること無く、カバー部材１６６の強度が有効に確保されている。なお、本実施形態においては、主制御基板ケース７８および電源基板ケース９６に接続される接続ケーブル１６２の全体がカバー部材１１６によって覆われているが、少なくとも接続ケーブル１６２のコネクタ１６４およびケーブルの開口部８４，１００からの延び出し部分が覆われていれば良いのであって、例えば、配線のレイアウト等を考慮して、接続ケーブル１６２の中間部分がカバー部材１６６から露出せしめられる等しても良い。
【００５６】
さらに、特に本実施形態におけるパチンコ機１０においては、カバー部材１６６の下端部１９４が主制御基板ケース７８の背面８３および電源基板ケース９６の背面９９の上側部分に重ね合わされている。これにより、基板ケース７８，９６の上方にカバー部材１６６の底面１７６が位置せしめられることが回避されて、基板ケース７８，９６の上方空間が有効に確保されており、上面９０，１０９に形成された通気孔９２，１１０が底面１７６によって塞がれるようなことが回避されている。従って、基板ケース７８，９６の放熱効率を低下せしめるおそれも可及的に軽減されているのである。
【００５７】
以上、本発明の一実施形態について詳述してきたが、これはあくまでも例示であって、本発明は、かかる実施形態における具体的な記載によって何等限定的に解釈されるものではない。
【００５８】
例えば、前述の実施形態におけるカバー部材１６６は、ナイラッチ１９２を用いてメインセット４８に取り付けられていたが、ネジ止めなどによって取り外し可能に取り付ける等しても良い。また、カバー部材１６６は遊技板１４の裏面に対して開閉可能にされていれば良いのであって、必ずしもカバー部材１６６の全体が取り外し可能とされる必要は無い。従って、例えば、ヒンジ機構などを用いて、カバー部材１６６を遊技板１４の裏面に対して開閉可能に蝶着せしめる等しても良い。
【００５９】
また、前述の実施形態においては、カバー部材１６６に底面１７６が形成されて、底面１７６の突出端縁部１８３が主制御基板ケース７８および電源基板ケース９６に重ね合わされることによって、カバー部材１６６の強度が確保されていたが、底面１７６は必ずしも必要ではない。
【００６０】
その他、一々列挙はしないが、本発明は、当業者の知識に基づいて、種々なる変更，修正，改良等を加えた態様において実施され得るものであり、また、そのような実施態様が、本発明の趣旨を逸脱しない限り、何れも、本発明の範囲内に含まれるものであることは、言うまでもない。
【図面の簡単な説明】
【００６１】
【図１】本発明の一実施形態としてのパチンコ機の正面図。
【図２】同パチンコ機のメインセットを取り外した状態の背面図。
【図３】メインセットの背面図。
【図４】タンクレールの底面を示す説明図。
【図５】図１に示したパチンコ機のカバー部材を取り外した状態の背面図。
【図６】ヒンジ機構を説明するための説明図。
【図７】メインセットの基枠への取付方法を説明するための説明図。
【図８】ナイラッチを説明するための説明図。
【図９】図１に示したパチンコ機のカバー部材を取り付けた状態の背面図。
【図１０】カバー部材の背面図。
【図１１】同カバー部材の下面図。
【符号の説明】
【００６２】
１０：パチンコ機、１４：遊技板、１６：基枠、４８：メインセット、５８：タンクレール、７６：主制御基板、７８：主制御基板ケース、８３：背面、８４：開口部、８６：コネクタ、９０：上面、９２：通気孔、９４：電源基板、９６：電源基板ケース、９９：背面、１００：開口部、１０２：コネクタ、１０９：上面、１１０：通気孔、１１１：通気孔、１３２：ナイラッチ、１５０：液晶表示器、１５２：演出制御基板、１５３：基板ケース、１５４：音・光制御基板、１５５：基板ケース、１６２：接続ケーブル、１６４：コネクタ、１６６：カバー部材、１９２：ナイラッチ、１９４：下端部
【図４】
2007319231.tif 000003
【図６】
2007319231.tif 000004
【図７】
2007319231.tif 000005
【図８】
2007319231.tif 000006
【図１０】
2007319231.tif 000007
【図１１】
2007319231.tif 000008
【図１】
2007319231.tif 000009
【図２】
2007319231.tif 000010
【図３】
2007319231.tif 000011
【図５】
2007319231.tif 000012
【図９】
2007319231.tif 000013